(57)【要約】【課題】  停電時に子機２を懐中電灯がわりに使用することが可能なコードレス電話装置の子機を提供する。【解決手段】  子機２は、充電状態から非充電状態になると（Ｓ１１０ステップのＹＥＳ）、親機に無線接続を要求する信号を送信し（Ｓ１２０ステップ）、続いて親機からＡＣＫ信号を受信すると（Ｓ１３０ステップのＹＥＳ）、親機と無線接続を開始し、一方、親機からＡＣＫ信号を受信できなければ（Ｓ１３０ステップのＮＯ）、子機２は、白色ＬＥＤを点灯させる懐中電灯モードとなる（Ｓ１５０ステップ）。【選択図】  図４
2010093355.tif 000002
【特許請求の範囲】
【請求項１】
親機と子機とからなるコードレス電話装置の子機であり、
前記子機は、充電状態から非充電状態へ変化すると前記親機に対して無線信号の送信を行い、前記親機から返答の信号を受信しなければ懐中電灯モードに移行することを特徴とするコードレス電話装置の子機。
【請求項２】
親機と子機とからなるコードレス電話装置の子機であり、
前記子機は、充電状態から非充電状態へ変化すると前記親機に対して無線信号の送信を行い、前記親機から返答の信号を受信しなければ白色ＬＥＤを点灯する状態に移行することを特徴とするコードレス電話装置の子機。
【請求項３】
親機と子機とからなるコードレス電話装置の子機であり、
前記子機は、バッテリと、当該バッテリが充電状態であるか否かを検出する充電検出部と、親機との無線信号の送受信を行う送受信部と、発光部と、制御部と、を有し、
前記制御部は、前記バッテリが充電状態から非充電状態に変化したことを前記充電検出部が検出したと判定すると、前記親機へ無線信号の送信を行うように前記送受信部を制御すると共に所定時間の計時を開始し、所定時間の計時が終了するまでに前記送受信部が、前記親機から返答の無線信号を受信できなかったと判定すると、前記発光部を発光させることを特徴とするコードレス電話装置の子機。
【請求項４】
請求項３に記載のコードレス電話装置の子機であり、
前記制御部は、前記発光部の点灯後所定時間が経過すると自動的に前記発光部を消灯させることを特徴とするコードレス電話装置の子機。
【請求項５】
請求項３に記載のコードレス電話装置の子機であり、
前記制御部は、前記発光部の点灯後、前記送受信部が前記親機と無線接続可能な状態となったと判定すると、前記発光部を消灯させることを特徴とするコードレス電話装置の子機。
【発明の詳細な説明】
【技術分野】
【０００１】
本発明はコードレス電話装置の子機に関するものである。
【背景技術】
【０００２】
親機と子機とが無線接続可能なコードレス電話装置に関する数々の技術が提案されており、例えば特許文献１には、ハンドセットが充電器から持ち上げられると自動的にランプが点灯し、ハンドセットを懐中電灯代わりに使用可能とする技術が開示されている。
【特許文献１】特開平５−２０７１１８号公報
【発明の開示】
【発明が解決しようとする課題】
【０００３】
しかしながら、引用文献１に記載の技術では、ハンドセットを充電器から持ち上げると必ずランプが点灯する構成であるため、実用的ではない。ハンドセットのバッテリの電力消費をできるだけ少なくするという観点から言えば、ランプを点灯させるには、停電時（或いはユーザの指示操作がある時）のみであることが好ましい。
【課題を解決するための手段】
【０００４】
請求項１記載の発明は、親機と子機とからなるコードレス電話装置の子機であり、前記子機は、充電状態から非充電状態へ変化すると前記親機に対して無線信号の送信を行い、前記親機から返答の信号を受信しなければ懐中電灯モードに移行することを特徴とする。
請求項２記載の発明は、親機と子機とからなるコードレス電話装置の子機であり、前記子機は、充電状態から非充電状態へ変化すると前記親機に対して無線信号の送信を行い、前記親機から返答の信号を受信しなければ白色ＬＥＤを点灯する状態に移行することを特徴とする。
請求項３記載の発明は、親機と子機とからなるコードレス電話装置の子機であり、前記子機は、バッテリと、当該バッテリが充電状態であるか否かを検出する充電検出部と、親機との無線信号の送受信を行う送受信部と、発光部と、制御部と、を有し、前記制御部は、前記バッテリが充電状態から非充電状態に変化したことを前記充電検出部が検出したと判定すると、前記親機へ無線信号の送信を行うように前記送受信部を制御すると共に所定時間の計時を開始し、所定時間の計時が終了するまでに前記送受信部が、前記親機から返答の無線信号を受信できなかったと判定すると、前記発光部を発光させることを特徴とする。
請求項４記載の発明は、請求項３に記載のコードレス電話装置の子機であり、前記制御部は、前記発光部の点灯後所定時間が経過すると自動的に前記発光部を消灯させることを特徴とする。
請求項５記載の発明は、請求項３に記載のコードレス電話装置の子機であり、前記制御部は、前記発光部の点灯後、前記送受信部が前記親機と無線接続可能な状態となったと判定すると、前記発光部を消灯させることを特徴とする。
【発明の効果】
【０００５】
本発明では、停電状態になると自動的に子機が懐中電灯モードとなるため、ユーザは停電時には特別な操作をせずとも子機を懐中電灯として使用することが可能である。また、非停電状態では、子機を通常のコードレス電話装置の子機として使用することが可能である。
【０００６】
請求項１記載の発明によれば、停電状態になると自動的に子機を懐中電灯モードにすることが可能であり、停電時にユーザは特別な操作をせずとも子機を懐中電灯として使用することが可能である。
【０００７】
請求項２記載の発明によれば、停電状態になると自動的に子機の白色ＬＥＤを点灯することが可能であり、停電時にユーザは特別な操作をせずとも子機を懐中電灯として使用することが可能である。
【０００８】
請求項３記載の発明によれば、バッテリが充電状態から非充電状態に変化した際に、子機は親機から返答の無線信号を受信しなければ、自動的に発光部を発光させるため、停電時にユーザは特別な操作をせずとも子機を懐中電灯として使用することが可能である。
請求項４及び５に記載の発明によれば、ユーザが特別な操作をせずとも発光部を消灯させることができる。
【発明を実施するための最良の形態】
【０００９】
以下に本発明の実施形態を、図面を参照しながら説明する。なお、ここで示す実施形態は一例であり、本発明はここに示す実施形態に限定されるものではない。
〈１．電話システムの構成について〉
図１は、本発明のコードレス電話装置を含む電話システムの構成を示すブロック図である。本システムは少なくとも、親機１（＝主通信装置）、子機２（＝副通信装置）、有線ＬＡＮ４１、無線通信網４２、ＩＰ電話ルータ５１、ブロードバンドルータ５２、ゲートウェイ５３、ＩＰ電話網６１、インターネット６２、ＰＳＴＮ網６３（＝Ｐｕｂｌｉｃ  Ｓｗｉｔｃｈｅｄ  Ｔｅｌｅｐｈｏｎｅ  Ｎｅｔｗｏｒｋ：公衆電話交換網）、及び加入者電話装置７１を含むように構成されている。
本発明のコードレス電話装置は、ＩＰ通信網に接続可能なコードレス電話装置であり、図中の親機１及び複数の子機２（子機Ａ２ａ〜子機Ｃ２ｃ）がこれに該当する。親機１は、有線ＬＡＮ４１に接続されることにより、電話網を介した音声通信が可能であるＩＰ電話装置である。また親機１は、有線ＬＡＮ４１と無線通信網４２との通信を中継する中継機能を持っている。これにより後述する子機２は、親機１を中継してＩＰ電話網６１やＰＳＴＮ網６３を介した通話を行うことが可能である。また親機１は、インターネット６２を介して、気象庁が配信する緊急自身速報を受信する機能を持つ。なお、親機１の内部構造の詳細については後述する。
【００１０】
子機２は、後述する無線通信網４２に接続されて親機１と通信を行うことにより、ＩＰ電話網６１やＰＳＴＮ網６３を介して他の電話装置と音声通信を行うことが可能な無線通話装置である。なお、子機２の内部構成の詳細については後述する。
【００１１】
有線ＬＡＮ４１は、親機１、ＩＰ電話ルータ５１、ブロードバンドルータ５２、及びゲートウェイ５３等が有線接続されたローカルのネットワークである。前記の各装置は有線ＬＡＮ４１に接続されることにより、相互に通信が可能となっている。なお、有線ＬＡＮ４１を構成する物理的な手段としては、例えばツイストペアケーブルを用いた１０ＢＡＳＥ−Ｔ（ＩＥＥＥ８０２．３ｉとして標準化）や１００ＢＡＳＥ−ＴＸ（ＩＥＥＥ８０２．３ｕとして標準化）等があげられる。
【００１２】
無線通信網４２は、親機１と、複数の子機２とが無線接続された小規模の通信網である。具体的には例えば、２．４ＧＨｚ（ギガヘルツ）の周波数帯の電波を利用したＦＨＳＳ−ＷＤＣＴ（Frequency Hopping Spread Spectrum - Worldwide Digital Cordless Telephone）準拠の通信方式等を用いて相互に通信を行う。
ＩＰ電話ルータ５１、及びブロードバンドルータ５２は、複数のＩＰネットワークを相互接続するためのネットワーク中継装置である。具体的には、ＯＳＩ（Ｏｐｅｎ  Ｓｙｓｔｅｍｓ  Ｉｎｔｅｒｃｏｎｎｅｃｔｉｏｎ）参照モデルでいうネットワーク層（第３層）やトランスポート層（第４層）の一部のプロトコルを解析して転送を行う。本実施形態では、ＩＰ電話ルータ５１は有線ＬＡＮ４１とＩＰ電話網６１との二つのＩＰネットワークを相互に接続する役割を持つ。またブロードバンドルータ５２は、有線ＬＡＮ４１とインターネット６２との二つのＩＰネットワークを相互に接続する役割を持つ。
ゲートウェイ５３は、プロトコル体系が異なるネットワーク間を相互接続するためのプロトコル変換器である。ゲートウェイ５３は例えば、有線ＬＡＮ４１とＰＳＴＮ網６３とを接続し、ＳＩＰ等のシグナリングプロトコルを用いてシグナル変換を行うことにより、両ネットワーク間での通信を可能とする。
ＩＰ電話網６１は、電話網の一部もしくは全てにＶｏＩＰ（Ｖｏｉｃｅ  ｏｖｅｒ  Ｉｎｔｅｒｎｅｔ  Ｐｒｏｔｏｃｏｌ）技術を利用した通信網であり、用いる通信回線としてはＦＴＴＨ（Ｆｉｂｅｒ  Ｔｏ  Ｔｈｅ  Ｈｏｍｅ）やＡＤＳＬ（Ａｓｙｍｍｅｔｒｉｃ  Ｄｉｇｉｔａｌ  Ｓｕｂｓｃｒｉｂｅｒ  Ｌｉｎｅ）等の、いわゆるブロードバンド回線が利用される。なおＶｏＩＰとは、音声を各種符号化方式で圧縮してパケットに変換し、ＩＰネットワークでリアルタイム伝送する技術である。これによりＩＰ電話網６１は音声通話サービスの他、画像の送受信を行うテレビ電話サービス等も提供可能である。
【００１３】
インターネット６２は、通信プロトコルによるネットワークを相互接続して構築された広域通信網である。大小様々なコンピュータネットワークを相互に連結させて、国際的な通信ネットワークが構築されている。通信プロトコルとしては主に、ＴＣＰ／ＩＰが標準的なプロトコルとして採用されている。
ＰＳＴＮ網６３は、一般の加入者電話回線ネットワークである。末端に電話装置を接続し、回線交換方式で通信相手に接続して音声通話を行うのに用いられる。加入者電話装置７１は、電話加入者がＰＳＴＮ網６３を用いて他の加入者電話装置やＩＰ電話装置と音声通話を行うための電話装置である。
〈２．親機の内部構成について〉
図２は、本発明の第一の実施形態に係る親機１の内部を示すブロック図である。親機１は少なくとも、制御部１１、メモリ１２、表示部１３、入力部１４、通信制御部１５、アンテナ装置１６、音声信号処理部１７、スピーカ１８、及びマイク１９を含むように構成されている。
【００１４】
制御部１１は、親機１の各部を制御することにより通信制御処理（音声データの送受信、発呼の実施、或いは着呼の検知等）を統括制御するための中央処理装置である。また制御部１１は、制御部１１が備える演算処理装置上でプログラムを実行することにより実現される機能部として、速報受信部１１ａ、及び地震検知送信部１１ｂを備えている。
【００１５】
速報受信部１１ａは、通信制御部１５を用いてインターネット６２から緊急地震速報を受信することにより、地震発生を検知したと判断する。地震発生を検知した場合、次の地震検知送信部１１ｂに対して、地震検知通知を与える。また、緊急地震速報に含まれるデータと、メモリ１２に記録されている地域情報に基づき、親機１が設置されている地域における予測震度及び主要動到達予測時刻等を算出すし、この情報も前記地震検知通知に含んで子機２に送信する。
【００１６】
地震検知送信部１１ｂは、速報受信部１１ａから与えられた検知通知を、通信制御部１５を用いて子機２へ送信する。なお地震検知送信部１１ｂは、速報受信部１１ａにより検知通知が与えられるたびに、子機２への検知通知送信を行う。
【００１７】
メモリ１２は、親機１が保持する各種データを一時的に記録する媒体であり、例えば書込可能なＲＡＭ（Ｒａｎｄｏｍ  Ａｃｃｅｓｓ  Ｍｅｍｏｒｙ）等により構成されている。メモリ１２は制御部１１によって各種通信制御処理が行われる際の処理データや、ユーザから受けた指示命令等を一時的に記録しておくためのバッファメモリとしての役割を持つ。また、地域ごとの予測震度や主要動到達予測時刻を算出するための地域情報を記録する役割を持つ。
【００１８】
表示部１３は、親機１が保持する各種情報（例えば着信時における発信側電話番号等）をユーザに対して表示する。表示部１３は例えば、液晶パネル等の小型で消費電力の少ない表示装置を用いる。
【００１９】
入力部１４は、ユーザが親機１を用いて通信を行うための各種操作（例えば通話を行う相手の電話番号の入力等）を行うためのものである。入力部１４は通常、数字ボタンやリダイヤルボタン等の複数のボタンから構成されている。
【００２０】
通信制御部１５は、親機１を有線ＬＡＮ４１に接続するための通信インタフェースである。通信制御部１５は、有線ＬＡＮ４１に接続された呼制御サーバ（不図示）と通信を行うことにより、ＩＰ電話システムにおける着信処理や発信処理等を実施することが可能である。また通信制御部１５は、アンテナ装置１６による無線通信網４２を介した無線通信の制御を行う。
【００２１】
アンテナ装置１６は、子機２との間で無線通信電波の送受信を行うための無線通信装置である。アンテナ装置１６は、所定の通信規格、例えばＦＨＳＳ−ＷＤＣＴ（Frequency Hopping Spread Spectrum - Worldwide Digital Cordless Telephone）準拠の通信方式等に則って、無線通信を行う。これにより、子機２との間で音声通信やデータ通信等を行うことが可能である。
【００２２】
音声信号処理部１７は、通信制御部１５により入力された音声データの復号処理を行い、音声信号としてスピーカ１８に与える。また音声信号処理部１７は、マイク１９より入力された音声信号に所定の符号化処理を施して音声データを作成し、通信制御部１５に与える。これにより音声データは有線ＬＡＮ４１、無線通信網４２、或いはＩＰ電話網６１等を通じて接続される他の電話装置へ送信される。
〈３．子機の内部構成について〉
図３は、本発明の第一の実施形態に係る子機２の内部を示すブロック図である。子機２は少なくとも、制御部２１、メモリ２２、表示部２３、入力部２４、通信制御部２５、アンテナ装置２６、音声信号処理部２７、スピーカ２８、マイク２９、バッテリ３１、及び照明部８０を含むように構成されている。
【００２３】
制御部２１は、子機２の各部を制御することにより通信制御処理（音声データの送受信、発呼の実施、或いは着呼の検知等）を統括制御するための中央処理装置である。また制御部２１は、制御部２１が備える演算処理装置上でプログラムを実行することにより実現される機能部として、地震検知受信部２１ａ、及び発光量調整部２１ｂを備えている。
【００２４】
地震検知受信部２１ａは、親機１から受信する各種情報の中に、緊急地震速報の検知通知が含まれているかどうかの判定を行う。そして検知通知が含まれていると判定された場合に、地震検知を示す電文を発光量調整部２１ｂに与える。
【００２５】
発光量調整部２１ｂは、地震検知受信部２１ａから地震検知を示す電文を与えられた際に、照明部８０に対して点灯を指示する。
【００２６】
メモリ２２は、子機２が保持する各種データを一時的に記録する媒体であり、例えば書込可能なＲＡＭ（Ｒａｎｄｏｍ  Ａｃｃｅｓｓ  Ｍｅｍｏｒｙ）等により構成されている。メモリ２２は制御部２１によって各種通信制御処理が行われる際の処理データや、ユーザから受けた指示命令等を一時的に記録しておくためのバッファメモリとしての役割を持つ。
【００２７】
表示部２３は、子機２が保持する各種情報（例えば着信時における発信側電話番号等）をユーザに対して表示する。表示部２３は例えば、液晶パネル等の小型で消費電力の少ない表示装置を用いる。液晶パネルの背後にはバックライトが設置されており、暗い場所でも表示内容を確認できるようになっている。
【００２８】
入力部２４は、ユーザが子機２を用いて通信を行うための各種操作（例えば通話を行う相手の電話番号の入力等）を行うためのものである。入力部２４は通常、数字ボタンやリダイヤルボタン等の複数のボタンから構成されている。なお、各ボタンの背後にはＬＥＤ等の発光部材が備えられている。
【００２９】
通信制御部２５は、アンテナ装置２６による無線通信の制御を行う。これにより子機２は、無線ＬＡＮ４２に接続された親機１との通信を行うことが可能である。また、親機１を中継して呼制御サーバ（不図示）と通信を行うことにより、ＩＰ電話システムにおける着信処理や発信処理等を実施することが可能である。
【００３０】
アンテナ装置２６〜マイク２９ついては、親機１のアンテナ装置１６〜マイク１９と同じ構成であるため、ここでは説明を省略する。
【００３１】
バッテリ３１は、外部電源（不図示）より電力の供給を受け、電力を一時的に備蓄しておく。例えば充電式アルカリ電池やリチウムイオンバッテリ等が用いられる。
【００３２】
充電回路３２は、充電器（図示せず）から供給される電力をバッテリ３１に供給する為の充電回路であり、充電端子３３に充電器からの電圧が印加されているか否かを検出し、その検出結果を制御部２１に送信する。
【００３３】
照明部８０は、子機２の表面上端に設置された照明装置である。照明部８０は通常運用時は点灯しない。或いは、着信通知ランプ等として用いる形態でもよい。照明部８０は、地震検知受信部２１ａにより緊急地震速報の検知通知が受信された際に、発光量調整部２１ｂからの指示により所定の発光量で点灯する。また、本実施例では、子機２が後述する懐中電灯モードとなった際に点灯する。
〈３．子機の外部構成について〉
図５は、本発明の第一の実施形態に係る子機２の外観を示す外観図である。図５（ａ）は子機２を横方向から見た外観図、図５（ｂ）は子機２を正面方向から見た外観図、図５（ｃ）は子機２を下方向から見た外観図である。
【００３４】
図５に示すように子機２は、その正面に表示部２３、入力部２４、アンテナ装置２６、スピーカ２８、マイク２９、及び照明部８０を備えている。また底面部に充電可能なバッテリ３１（図示せず）と充電端子３３を備えている。又、入力部２４の中には、通話キー２４１やテンキー２４２等が存在する。
〈４．  照明部の構成について〉
図６は、照明部８０の内部構造の一例を示した斜視図である。照明部８０は少なくとも、高輝度ＬＥＤ８１、反射部材８２、及び透明部材８３を含むように構成されている。高輝度ＬＥＤ８１は、ＬＥＤライト等に用いられる発光部材である。高輝度ＬＥＤ８１の詳細な仕様、及び発光色は特に限定されないが、照明用であるため白色光のＬＥＤを用いることが望ましい。
【００３５】
反射部材８２は、アルミ箔やガラス等を素材とした、光線を反射するための部材である。反射部材８２は、高輝度ＬＥＤ８１から出射される光線のうち、子機２の本体方向（図６に示す例では下方向）へ出射される光線を子機２の外部へ反射するのに用いられる。
【００３６】
透明部材８３は、高輝度ＬＥＤ８１及び反射部材８２を覆うことにより、両部材が子機２の外部に露出するのを防ぐ保護部材である。透明部材８３は例えば、ある程度の強度を備えているプラスチック等の物質を素材として形成されている。なお、反射部材８２及び透明部材８３を形成する素材は上記に限定されるものではなく、本発明の範囲を逸脱しない範囲において、適宜変更可能である。
〈５．本実施例の動作について〉
ここで、本発明の第一の実施形態における親機１と子機２の動作を説明する。図４は子機２の動作を示すフロー図である。図４のＳ１１０ステップにおいて、制御部２１は、充電回路３２から充電端子３３に電圧が印加されている状態から印加されていない状態に変化したことを示す信号を検出すると、Ｓ１２０ステップへ処理を進める。
【００３７】
Ｓ１２０ステップでは、制御部２１は、通信制御部２５を制御することにより、子機２から親機１へ無線接続の開始要求を示す信号を送信する。また、通信制御部２５は所定時間（例えば４秒）のカウントを開始する。
【００３８】
Ｓ１３０ステップでは、制御部２１は、前記Ｓ１２０ステップでカウント開始した所定時間以内に、通信制御部２５が親機１からの返答信号であるＡＣＫ（acknowledge）信号を受信したと判定すると、Ｓ１４０ステップへ処理を進め、そうでなければＳ１５０ステップへ処理を進める。
【００３９】
Ｓ１４０ステップでは、制御部２１は、通信制御部２５を制御することにより親機１と子機２との間で無線接続を開始させる。また、親機１側は、制御部２１が通信制御部１５を制御することにより回線を接続させると共に、子機２と無線接続状態にする。これ以降、子機２側で電話番号が入力されると、入力された電話番号は親機１を介して回線へ送出され、ダイヤル発信が行われる。
【００４０】
一方、Ｓ１５０ステップでは、制御部２１は、照明部８０を点灯させる懐中電灯モードとなる。この懐中電灯モードでは、照明部８０の点灯が継続する。
尚、照明部８０の点灯後に、照明部８０を消灯させる方法として以下の方法が例として挙げられる。例えば、制御部２１は、照明部８０の点灯と同時に所定時間の計時を開始し、所定時間の計時が終了すれば照明部８０を消灯させる構成としてもよく、或いは、制御部２１は、充電回路２０から、非充電状態から充電状態へと変化したことを示す信号を検出すると、照明部８０を消灯させる構成としもよく、或いは、制御部２１は、所定のキー操作を検出すると照明部８０を消灯させる構成としてもよい。この照明部８０が点灯から消灯に変化した時点で、懐中電灯モードが終了する。
【００４１】
以上説明したように、本実施例装置では、子機２が充電状態から非充電状態に変化すると、子機２から親機１に対して無線接続の開始要求を示す信号を送信する。続いて子機２は、親機１からＡＣＫ信号を受信すると、親機１が停電中ではないと判定し、親機１と子機２間が無線接続状態となる。一方、子機２が親機１からＡＣＫ信号を受信しない場合には、親機１が停電状態であると判定して照明部８０が点灯する。
【００４２】
尚、図３のＳ１１０ステップで充電状態から非充電状態に変わるのは、ユーザが子機２を充電器から取上げる場合だけでなく、子機２を充電器に載置した状態で充電器から子機２へ充電電圧が印加されない場合、即ち、停電状態となった場合もある。
【００４３】
本実施例装置では、ユーザは非停電状態ではコードレス電話装置を通常のコードレス電話装置として使用することが可能であり、一方、停電状態になるとコードレス電話装置の子機２を懐中電灯代わりとして使用することが可能である。
【００４４】
また、本実施例では、親機と子機とからなるコードレス電話装置について実施したが、コードレス電話装置の機能を搭載したファクシミリ装置等でも同様に実施可能である。
【００４５】
更に、親機１と子機２との間の無線接続方式は、アナログ方式でもデジタル方式でも良い。本実施例を実施する際に、子機１から親機２へ無線接続の開始要求を示す信号を送信する構成と、親機２から子機１へＡＣＫ信号を送信する構成とすることは、当業者であればアナログ方式でもデジタル方式でも容易に実現可能である。
【００４６】
また、本実施例では子機１から親機２へ無線接続の開始要求を示す信号を送信する構成としたが、子機１から親機２へ無線接続可能な状態か否かを確認できる信号であればこれに限定されない。
【図面の簡単な説明】
【００４７】
【図１】は、本発明の電話システムの構成を示すブロック図である。
【図２】は、本発明の通信装置の親機１の構成を示すブロック図である。
【図３】は、本発明の通信装置の子機２の構成を示すブロック図である。
【図４】は、本実施例装置の動作を示すフロー図である。
【図５】は、本発明の子機の外観を示す外観図である。
【図６】は、本発明の子機が備える照明部８０の構造を示す斜視図である。
【符号の説明】
【００４８】
１      親機
１１ａ  速報受信部
１１ｂ  地震検知送信部
１５    通信制御部
１６    アンテナ装置
２    子機
２１ａ  地震検知受信部
２１ｂ  発光量調整部
２５    通信制御部
２６    アンテナ装置
８０    照明部
８１    高輝度ＬＥＤ
８２    反射部材
８３    透明部材
２４１  通話キー
【図１】
2010093355.tif 000003
【図２】
2010093355.tif 000004
【図３】
2010093355.tif 000005
【図４】
2010093355.tif 000006
【図５】
2010093355.tif 000007
【図６】
2010093355.tif 000008